(57)【要約】【課題】埃等の浸入という新たな問題を生じさせることなく、ディスク挿入口から浸入した水分の電気部品等への影響を排除することのできる「ディスク装置」を提供することである。【解決手段】ディスク挿入口１４の形成された前面パネルユニット１０とディスク駆動ユニット３０の収容された筐体２０との間に、ディスク挿入口１４からディスク駆動ユニット３０に向けて挿入される、及びディスク駆動ユニット３０からディスク挿入口１４に向けて排出されるディスクＤが通るディスクガイド部材１２が配置されたディスク装置であって、ディスク挿入口１４から続く水分の浸入域に少なくともその一部が配置されるように設けられた吸水部材５０を有する構成となる。【選択図】図１
2008047254.tif 000002
【特許請求の範囲】
【請求項１】
ディスク挿入口の形成された前面パネルユニットとディスク駆動ユニットの収容された筐体との間に、前記ディスク挿入口から前記ディスク駆動ユニットに向けて挿入される、及び前記ディスク駆動ユニットから前記ディスク挿入口に向けて排出されるディスクが通るディスクガイド部材が配置されたディスク装置であって、
ディスク挿入口から続く水分の浸入域に少なくともその一部が配置されるように設けられた吸水部材を有することを特徴とするディスク装置。
【請求項２】
前記吸水部材は、布部材を含むことを特徴とする請求項１記載のディスク装置。
【請求項３】
前記吸水部材は、水分の浸入域となる前記筐体の底板内面に配置されたことを特徴とする請求項１または２記載のディスク装置。
【請求項４】
前記吸水部材は、前記筐体の底板の後端部内面に配置されたことを特徴とする請求項３記載のディスク装置。
【請求項５】
前記筐体の底板の前記吸水部材が設けられた部位に一または複数の通気孔が形成されたことを特徴とする請求項３または４記載のディスク装置。
【請求項６】
前記吸水部材は、水分の浸入域となる前記筐体の底板内面から当該筐体の後端板内面にかけて配置されたことを特徴とする請求項１または２記載のディスク装置。
【請求項７】
前記筐体の後端板の前記吸水部材が設けられた部位に一または複数の通気孔が形成されたことを特徴とする請求項６記載のディスク装置。
【請求項８】
前記筐体の後端板の前記吸水部材が設けられた部位の外面には、熱源に結合するヒートシンク部材が設けられていることを特徴とする請求項６記載のディスク装置。
【請求項９】
前記吸水部材は、水分の浸入域となる前記筐体の底板内面から当該筐体の後端板内面、更に当該筐体の天板内面にかけて配置されたことを特徴とする請求項１または２記載のディスク装置。
【請求項１０】
前記筐体の天板の前記吸水部材が設けられた部位に一または複数の通気孔が形成されたことを特徴とする請求項９記載のディスク装置。
【請求項１１】
水の浸入域となる前記筐体の底板に凹部が形成され、
前記筐体内において、前記ディスク駆動ユニットの後端面と前記筐体の後端板との間に前記筐体の天板から延びる後方仕切り板が設けられ、
前記吸水部材は、前記底板の凹部から延び、前記後方仕切り板表面、更に前記天板内面にかけて配置されたことを特徴とする請求項１または２記載のディスク装置。
【請求項１２】
前記筐体の天板の前記吸水部材が設けられた部位に一または複数の通気孔が形成されたことを特徴とする請求項１１記載のディスク装置。
【請求項１３】
前記ディスク駆動ユニットと前記筐体の底板との間に配線基板が配置され、
前記吸水部材は、前記ディスクガイド部材の前記水分の浸入域から延びて前記ディスク駆動ユニットと前記配線基板との間に配置されたことを特徴とする請求項１または２記載のディスク装置。
【請求項１４】
前記筐体内において、前記ディスク駆動ユニットの後端面と前記筐体の後端板との間に前記筐体の天板から延びる後方仕切り板を有し、
前記ディスクガイド部材の前記水分の侵入域から延びる前記吸水部材は、前記後方仕切り板表面、更に前記天板内面にかけて配置されたことを特徴とする請求項１３記載のディスク装置。
【請求項１５】
前記筐体の天板の前記吸水部材が設けられた部位に一または複数の通気孔が形成されたことを特徴とする請求項１４記載のディスク装置。
【請求項１６】
前記ディスク挿入口を閉鎖してディスクが通過するスリットの形成された布部材が、前記前面パネルユニットと前記ディスクガイド部材とに挟まれるように設けられ、
前記ディスクガイド部材は、前記ディスク挿入口の内側下方に形成される凹状部を有し、
前記布部材は、前記吸水部材として、その端部が前記凹状部の底部に配置されたことを特徴とする請求項１記載のディスク装置。
【請求項１７】
前記前面パネルユニットは、その表面からディスクガイド部材に向けて貫ける貫通孔を有し、
前記ディスクガイド部材の前記凹状部に配置される前記布部材の端部が前記貫通孔を閉鎖することを特徴とする請求項１６記載のディスク装置。
【請求項１８】
前記布部材の端部は、前記貫通孔に詰め込まれたことを特徴とする請求項１７記載のディスク装置。
【請求項１９】
前記凹状部の底部は、熱源に結合するヒートシンク部材に結合した金属板で形成されていることを特徴とする請求項１６乃至１８のいずれかに記載のディスク装置。
【請求項２０】
前記ディスクガイド部材は、前記ディスク挿入口の内側下方に形成される凹状部を有するとともに該凹状部を覆い、前記ディスク挿入口から前記ディスク駆動ユニットに向けて挿入される、及び前記ディスク駆動ユニットから前記ディスク挿入口に向けて排出されるディスクをガイドするガイドフレームを有し、
前記吸水部材の少なくとも一部は、前記凹状部に配置されるものであって、
該ガイドフレームは、前記ディスクの移動方向に延び、当該ディスクが摺動する一または複数の縦リブと、
前記縦リブを横切る方向に延びるとともに下方に向けて傾斜する一または複数の傾斜板とを有することを特徴とする請求項１記載のディスク装置。
【請求項２１】
複数の縦リブが、前記ディスクの移動方向において隣接する縦リブの該移動方向を横切る方向における位置が異なるように、前記ディスクの移動方向及び該移動方向に横切る方向に配置されたことを特徴とする請求項２０記載のディスク装置。
【発明の詳細な説明】
【技術分野】
【０００１】
本発明は、ディスク駆動ユニットの収容される筐体の前方に配置された前面パネルユニットにディスク挿入口の形成されたディスク装置に関する。
【背景技術】
【０００２】
車両に搭載され、ＣＤ（Compact Disc）やＤＶＤ（Digital Versatile Disc）等のディスク記録媒体（以下、単にディスクという）の再生を行なうディスク装置は、ディスク挿入口の形成された前面パネルユニットとディスク駆動ユニットの収容された筐体（シャーシ）との間に、前記ディスク挿入口から前記ディスク駆動ユニットに向けて挿入される、及び前記ディスク駆動ユニットから前記ディスク挿入口に向けて排出されるディスクが通るディスクガイド部材が配置された構造となっている。このような構造のディスク装置は、例えば、車室内のインストルメントパネルから前記前面パネルユニットの表面が露出するように設置される。
【０００３】
ところで、例えば、カップホルダーがディスク装置の前面パネルユニットの上方に配置される場合、カップホルダー内の飲料ボトルから飲料液がこぼれ、その飲料液がインストルメントパネルを伝って前面パネルユニットのディスク挿入口からディスク装置内に浸入するおそれがある。また、ダッシュボードに置いた飲料ボトルをうっかり倒してしまって、飲料液がダッシュボードからインストルメントパネルを伝ってディスク挿入口からディスク装置内に浸入するおそれもある。
【０００４】
このようにディスク挿入口から水分が浸入すると、前面パネルユニットの後方（車両前方方向）に配置されるディスクガイド部材の内面を伝ってその水分が筐体内に浸入するおそれがある。筐体内には、ディスクを駆動して情報の読み取りを行なうディスク駆動ユニットのほか、プリント配線基板等の電気配線部品があり、筐体内に水分が浸入すると、故障の原因となる。
【０００５】
これに対して、排水口を設けるという考え方がある（例えば、特許文献１）。例えば、前面パネルユニットと筐体との間に配置されるディスクガイド部材の水分の浸入域と考えられる部位に排水口を形成することにより、ディスク挿入口から水分が浸入しても、そのディスク挿入口からディスクガイド部材の内面を伝って流れる水分を筐体に達する前に前記排出口からディスク装置外に排出することができるようになる。
【特許文献１】特許第２６８９７０５号公報
【発明の開示】
【発明が解決しようとする課題】
【０００６】
しかしながら、排水口を形成する場合、埃等がその排水口からディスク装置内に浸入するという新たな問題が生じ得る。特に、埃に関して厳しい環境下におかれ得る車両に搭載されるディスク装置では、そのような問題の発生する可能性が高い。
【０００７】
本発明は、このような事情に鑑みてなされたもので、埃等の浸入という新たな問題を生じさせることなく、ディスク挿入口から浸入した水分の電気部品等への影響を排除することのできるディスク装置を提供するものである。
【課題を解決するための手段】
【０００８】
本発明に係るディスク装置は、ディスク挿入口の形成された前面パネルユニットとディスク駆動ユニットの収容された筐体との間に、前記ディスク挿入口から前記ディスク駆動ユニットに向けて挿入される、及び前記ディスク駆動ユニットから前記ディスク挿入口に向けて排出されるディスクが通るディスクガイド部材が配置されたディスク装置であって、
ディスク挿入口から続く水分の浸入域に少なくともその一部が配置されるように設けられた吸水部材を有する構成となる。
【０００９】
このような構成により、ディスク挿入口から浸入した水分が吸水部材に吸い取られるようになるので、その水分を吸水部材内という限られた範囲に留めておくことができるようになる。
【００１０】
また、本発明に係るディスク装置において、前記吸水部材は、布部材を含む構成とすることができる。
【００１１】
このような構成により、引き回しの自由度の高い布部材に水分が吸い取られるようになるので、その布部材の配置のしかたによって、水分が電気部品等に達することを容易に回避させることができるようにできる。
【００１２】
また、本発明に係るディスク装置において、前記吸水部材は、水分の浸入域となる前記筐体の底板内面に配置された構成とすることができる。
【００１３】
このような構成により、ディスク挿入口から浸入した水分がディスクガイド部材から筐体に至ったとしても、その水分を筐体の底板の限られた範囲に留めおくことができる。
【００１４】
また、本発明に係るディスク装置において、前記吸水部材は、前記筐体の底板の後端部内面に配置された構成とすることができる。
【００１５】
例えば、前面パネルユニットの表面を車両のインストルメントパネルの傾斜に合わせるために、ディスク装置は、後端部を下げて傾斜した状態で車両に設置される場合がある。このような場合、ディスク挿入口から浸入した水分がディスクガイド部材から筐体内に浸入してその筐体の底板に沿って後端部まで達しうるが、前記構成により、その水分を有効に吸水部材にて吸い取ることができるようになる。
【００１６】
また、本発明に係るディスク装置において、前記筐体の底板の前記吸水部材が設けられた部位に一または複数の通気孔が形成された構成とすることができる。
【００１７】
このような構成により、吸水部材に留められた水分が筐体の底板に形成された一または複数の通気孔を通して筐体外部に効率的に蒸発し得るようになる。前記一または複数の通気孔は吸水部材にて覆われることになるので、その通気孔から埃などが浸入することは防止される。
【００１８】
更に、本発明に係るディスク装置において、前記吸水部材は、水分の浸入域となる前記筐体の底板内面から当該筐体の後端板内面にかけて配置された構成とすることができる。
【００１９】
このような構成により、ディスク挿入口から浸入して筐体の底板内面に至った水分を吸水部材に吸い込ませて当該筐体の後端板内面に待避させることができる。
【００２０】
また、本発明に係るディスク装置において、前記筐体の後端板の前記吸水部材が設けられた部位に一または複数の通気孔が形成された構成とすることができる。
【００２１】
このような構成により、吸水部材に留められた水分が筐体の後端板に形成された一または複数の通気孔を通して筐体外部に効率的に蒸発し得るようになる。前記一または複数の通気孔は吸水部材にて覆われることになるので、その通気孔から埃などが浸入することは防止される。
【００２２】
また、本発明に係るディスク装置において、前記筐体の後端板の前記吸水部材が設けられた部位の外面には、熱源に結合するヒートシンク部材が設けられている構成とすることができる。
【００２３】
このような構成により、熱源により加熱されるヒートシンク部材の熱により、吸水部材に留められた水分を更に効率的に蒸発させることができるようになる。
【００２４】
更に、本発明に係るディスク装置において、前記吸水部材は、水分の浸入域となる前記筐体の底板内面から当該筐体の後端板内面、更に当該筐体の天板内面にかけて配置された構成とすることができる。
【００２５】
このような構成により、ディスク挿入口から浸入して筐体の底板内面に至った水分を吸水部材に吸い込ませて当該筐体の後端板表面及び天面内面に待避させることができるようになる。
【００２６】
また、本発明に係るディスク装置において、前記筐体の天板の前記吸水部材が設けられた部位に一または複数の通気孔が形成された構成とすることができる。
【００２７】
このような構成により、吸水部材に留められた水分が筐体の天板に形成された一または複数の通気孔を通して筐体外部に効率的に蒸発し得るようになる。前記一または複数の通気孔は吸水部材にて覆われることになるので、その通気孔から埃などが浸入することは防止される。
【００２８】
更に、本発明に係るディスク装置において、水の浸入域となる前記筐体の底板に凹部が形成され、前記筐体内において、前記ディスク駆動ユニットの後端面と前記筐体の後端板との間に前記筐体の天板から延びる後方仕切り板が設けられ、前記吸水部材は、前記底板の凹部から延び、前記後方仕切り板表面、更に前記天板内面にかけて配置された構成とすることができる。
【００２９】
このような構成により、ディスク挿入口から浸入して筐体の底板に形成された凹部に溜まる水分を吸水部材に吸い込ませて後方仕切り板表面及び当該筐体の天板表面に待避させることができるようになる。
【００３０】
また、本発明に係るディスク装置において、前記筐体の天板の前記吸水部材が設けられた部位に一または複数の通気孔が形成された構成とすることができる。
【００３１】
このような構成により、吸水部材に留められた水分が筐体の天板に形成された一または複数の通気孔を通して筐体外部に効率的に蒸発し得るようになる。前記一または複数の通気孔は吸水部材にて覆われることになるので、その通気孔から埃などが浸入することは防止される。
【００３２】
更に、本発明に係るディスク装置において、前記ディスク駆動ユニットと前記筐体の底板との間に配線基板が配置され、前記吸水部材は、前記ディスクガイド部材の前記水分の浸入域から延びて前記ディスク駆動ユニットと前記配線基板との間に配置された構成とすることができる。
【００３３】
このような構成により、ディスク挿入口から浸入してディスクガイド部材を伝う水分をディスク駆動ユニットと配線基板との間には配置された吸水部材にて吸い取ることができるので、ディスク挿入口から浸入した水分が配線基板に達することを防止することができる。
【００３４】
また、本発明に係るディスク装置では、前記筐体内において、前記ディスク駆動ユニットの後端面と前記筐体の後端板との間に前記筐体の天板から延びる後方仕切り板を有し、前記ディスクガイド部材の前記水分の侵入域から延びる前記吸水部材は、前記後方仕切り板表面、更に前記天板内面にかけて配置され構成とすることができる。
【００３５】
このような構成により、ディスク挿入口から浸入してディスクガイド部材を伝う水分を吸水部材にて吸い取って、配線基板に達することを防止しつつ、後方仕切り板表面及び筐体の天板内面に待避させることができるようになる。
【００３６】
また、本発明に係るディスク装置において、前記筐体の天板の前記吸水部材が設けられた部位に一または複数の通気孔が形成された構成とすることができる。
【００３７】
このような構成により、吸水部材に留められた水分が筐体の天板に形成された一または複数の通気孔を通して効率的に蒸発し得るようになる。前記一または複数の通気孔は吸水部材にて覆われることになるので、その通気孔から埃などが浸入することは防止される。
【００３８】
更に、本発明に係るディスク装置において、前記ディスク挿入口を閉鎖してディスクが通過するスリットの形成された布部材が、前記前面パネルユニットと前記ディスクガイド部材とに挟まれるように設けられ、前記ディスクガイド部材は、前記ディスク挿入口の内側下方に形成される凹状部を有し、前記布部材は、前記吸水部材として、その端部が前記凹状部の底部に配置された構成とすることができる。
【００３９】
このような構成により、ディスク挿入口から浸入してディスクガイド部材の内面を伝う水分はディスクガイド部材の凹状部に溜まり、その凹状部に溜まった水分がディスク挿入口を閉ざす布部材に吸い取られるようになるので、ディスク挿入口から浸入した水分が筐体に達することを未然に防止することができる。また、前記布部材はディスク挿入口にて外部に露出しているので、前述したように吸い取られて当該布部材に留まる水分がディスク挿入口を通して効率的に蒸発し得るようになる。
【００４０】
更に、ディスク挿入口の布部材に形成されたスリットを通してコインやピン等の異物が誤って挿入されたとしても、それら異物は、そのディスク挿入口の内側下方に形成されたディスクガイド部材の凹状部に留められ得るので、筐体内まで入り込むようなことは防止される。
【００４１】
また、本発明に係るディスク装置において、前記前面パネルユニットは、その表面からディスクガイド部材に向けて貫ける貫通孔を有し、前記ディスクガイド部材の前記凹状部に配置される前記布部材の端部が前記貫通孔を閉鎖する構成とすることができる。
【００４２】
このような構成により、ディスクガイド部材に形成された凹状部に溜まって布部材に吸い取られた水分は、前面パネルユニットに形成された貫通孔を通して更に効率的に蒸発し得るようになる。
【００４３】
また、本発明係るディスク装置において、前記布部材の端部は、前記貫通孔に詰め込まれた構成とすることができる。
【００４４】
このような構成により、ディスクガイド部材に形成された凹状部から水分を吸い取る布部材の端部が前面パネルユニットに形成された貫通孔に詰め込まれているので、その布部材内の水分が前記貫通孔を通して更に効率的に蒸発し得るようになる。
【００４５】
また、本発明に係るディスク装置において、前記凹状部の底部は、熱源に結合するヒートシンク部材に結合した金属板で形成されている構成とすることができる。
【００４６】
このような構成により、熱源により加熱されたヒートシンク部材から伝わって比較的高温になる金属板からの熱により、布部材に留められた水分を更に効率的に蒸発させることができるようになる。
【００４７】
更に、本発明に係るディスク装置において、前記ディスクガイド部材は、前記ディスク挿入口の内側下方に形成される凹状部を有するとともに該凹状部を覆い、前記ディスク挿入口から前記ディスク駆動ユニットに向けて挿入される、及び前記ディスク駆動ユニットから前記ディスク挿入口に向けて排出されるディスクをガイドするガイドフレームを有し、前記吸水部材の少なくとも一部は、前記凹状部に配置されるものであって、該ガイドフレームは、前記ディスクの移動方向に延び、当該ディスクが摺動する一または複数の縦リブと、前記縦リブを横切る方向に延びるとともに下方に向けて傾斜する一または複数の傾斜板とを有する構成とすることができる。
【００４８】
このような構成により、ディスクＤがディスク挿入口から挿入されると、該ディスクＤがガイドフレームの縦リブ上を摺動しつつガイドされてディスク駆動ユニットに向けて移動し得る。また、ディスク駆動ユニット３０から排出されるディスクＤもガイドフレームの縦リブ上を摺動しつつガイドされてディスク挿入口に向けて移動し得る。
【００４９】
一方、コインのようなディスクＤに比べて小さい異物がディスク挿入口に誤って挿入されると、ガイドフレームの縦リブ上を摺動することなく、傾斜板上を滑ってディスクガイド部材の凹状部に落ちる。これにより、コインのような異物は、ディスクガイド部材の凹状部に溜まるようになり、そのような異物の筐体への入り込みを防止することができる。
【００５０】
また、本発明に係るディスク装置においいて、複数の縦リブが、前記ディスクの移動方向において隣接する縦リブの該移動方向を横切る方向における位置が異なるように、前記ディスクの移動方向及び該移動方向に横切る方向に配置された構成とすることができる。
【００５１】
このような構成により、ディスクは、移動する際にその移動方向及びそれを横切る方向それぞれにおいて複数箇所にてガイドされ得るようになるので、移動方向を横切る方向における傾きを防止しつつディスクよりスムーズに移動（挿入、排出）すること可能となる。
【発明の効果】
【００５２】
本発明に係るディスク装置によれば、ディスク挿入口から浸入した水分が吸水部材に吸い取られ、その水分が吸水部材内という限られた範囲に留められるようになるので、排水口を設ける場合のように埃等の浸入という新たな問題を生じさせることなく、ディスク挿入口から浸入した水分の電気部品等への影響を排除することのできるようになる。
【発明を実施するための最良の形態】
【００５３】
以下、本発明の実施の形態について、図面に基づいて説明する。
【００５４】
本発明の第１の実施の形態に係るディスク装置は、図１及び図２に示すように構成される。なお、図１は、ディスク装置の側断面図であり、図２は、ディスク装置の前方部分を拡大して示す側断面図である。
【００５５】
図１及び図２において、このディスク装置は、ディスク挿入口１４の形成された前面パネルユニット１０、ディスクガイド部材１２及びディスクＤ（ＣＤ、ＤＶＤ等）の回転駆動及び情報読み取り等を行なうディスク駆動ユニット３０を収容したシャーシ２０（筐体）が一体的に結合された構造となっている。ディスクガイド部材１２は、前面パネルユニット１０とシャーシ２０との間に配置され、ディスク挿入口１４からディスク駆動ユニット３０に向けて挿入される、及びディスク駆動ユニット３０からディスク挿入口１４に向けて排出されるディスクＤがディスクガイド部材１２を通るようになっている。
【００５６】
不織布等の布部材１５がディスク挿入口１４を閉ざすように前面パネルユニット１０とディスクガイド部材１２とによって挟まれ、固定されている。この布部材１５は、ディスクＤが通過するためのスリット（図示されず）が形成されている。これにより、ディスク挿入口１４から埃等が浸入することを防止しつつ、ディスクＤのディスク挿入口１４を通した挿入及び排出が可能となる。
【００５７】
ディスクガイド部材１２は、ディスク挿入口１４の内側下方に立ち下がる第１立下り部１１ａ、この第１立下り部１１ａに続いて平坦となる平坦部１１ｂ、更に、この平坦部１１ｂに続いて立ち下がる第２立下り部１１ｂを有している。これら第１立下り部１１ａ、平坦部１１ｂ及び第２立下り部１１ｃによって、ディスクガイド部材１２は、ディスク挿入口１４の内側下方において段付き構造となっている。
【００５８】
ディスクガイド部材１２は、シャーシ２０の前端部に結合されている。シャーシ２０に収容されたディスク駆動ユニット３０とディスクガイド部材１２の第２立下り部１１ｃとの間を仕切るように前方仕切り部材１６がシャーシ２０内に設けられている。
【００５９】
シャーシ２０は、底板２１、後端板２２及び天板２３を有しており、種々の電気部品を搭載したプリント配線基板４０がディスク駆動ユニット３０の下面とシャーシ２０の底板２１との間に当該底板２１に沿うよう配置されている。プリント配線基板４０の端部にはコネクタ４１が搭載されており、このコネクタ４１がシャーシ２０の後端板２２から露出するようになっている。
【００６０】
シャーシ２０の底板２１の内面には、例えば、不織布にて形成される吸水布部材５０が設けられている。そして、この吸水布部材５０が設けられた底板２１の部位には複数の通気孔２１ａが形成されている。
【００６１】
このような構造のディスク装置では、ディスク挿入口１４から水分が浸入すると、図２の破線点線で示すように、その水分は、ディスクガイド部材１２の第１立下り部１１ａ及び平坦部１１ｂを伝い、更に、第２立下り部１１ｃと前方仕切り板１６との間を伝ってシャーシ２０の底板２１の内面に滴下する。このように、ディスク挿入口１４から続くディスクガイド部材１２の内面（第１立下り部１１ａ、平坦部１１ｂ及び第２立下り部１１ｃの内面）及びシャーシ２０の底板２０の内面が水分の浸入域となり得る。
【００６２】
このように水分がシャーシ２０の底板２１の内面に到達すると、その水分は、吸水布部材５０に吸い取られる。これにより、シャーシ２０内に浸入した水分が吸水布部材５０内留められるようになるので、プリント配線基板４０に水分が到達することを防止することができる。従って、ディスク挿入口１４から浸入した水分に起因した電気的な故障を未然に防止することができる。
【００６３】
また、吸水布部材５０が設けられたシャーシ２０の底板２１に複数の通気孔２１ａが形成されているので、吸水布部材５０内に留められた水分がそれら通気孔２１ａを通して効率的に蒸発することができるようになる。一般に、動作中のディスク駆動ユニット３０から発せられる熱によってシャーシ２０は温められており、これにより、このシャーシ２０（底板２１）に接する吸水布部材５０内に留められた水分の蒸発が促進される。更に、シャーシ２０の底板２１に形成された複数の通気孔２１ａは吸水布部材５０によって覆われるようになっているので、その複数の通気孔２１ａを通してシャーシ２０内に埃等が浸入することもない。
【００６４】
次に、本発明の第２の実施の形態に係るディスク装置について説明する。
【００６５】
本発明の第２の実施の形態に係るディスク装置は、図３に示すように構成される。なお、図３において、図１及び図２に示される部材と同一の部材には同一の参照番号が付されている。
【００６６】
図３に示すディスク装置では、シャーシ２０の底板２１の後端部に一または複数の通気孔２１ａが形成され、吸水布部材５１がその通気孔２１ａを覆うように底板２１に設けられている。前面パネルユニット１０の表面を車両のインストルメントパネルの傾斜に合わせるために、この種のディスク装置は、後端部を下げて傾斜した状態で設置される。この場合、ディスク挿入口１４から浸入した水分は、ディスクガイド部材１２の内面を伝ってシャーシ２０の底板２１に滴下し、更に底板２１の後端部に移動する。このように後端部に移動した水分は、前述した吸水布部材５１によって吸い取られてその吸水布部材５１内に留まる。これにより、シャーシ２０内に浸入した水分は、前述した例（第１の実施の形態）と同様に、プリント配線基板４０に至ることはなく、水分に起因した電気的な故障を未然に防止することができる。また、吸水布部材５１に留まった水分がシャーシ２０の底板２１に形成された通気孔２１ａを通して効率的に蒸発することができる。
【００６７】
次に、本発明の第３の実施の形態に係るディスク装置について説明する。
【００６８】
本発明の第３の実施の形態に係るディスク装置は、図４に示すように構成される。なお、図３において、図１及び図２に示される部材と同一の部材には同一の参照番号が付されている。
【００６９】
図４に示すディスク装置では、シャーシ２０の底板２１内面の後端部からシャーシ２０の後端板２２内面にかけて吸水布部材５２が設けられている。また、シャーシ２０の後端板２２の吸水布部材５２の設けられた部位には複数の通気孔２２ａが形成されている。このような構造のディスク装置では、ディスク挿入口１４から浸入して、ディスクガイド部材１２の内面を伝ってシャーシ２０の底板２１に滴下し、更に底板２１の後端部まで移動する水分は、吸水布部材５２に吸い取られる。吸水布部材５２のシャーシ２０の底板２１から後端板２２への引き回しにより、前記水分をプリント配線基板４０からより遠ざかるシャーシ２０の後端板２２に積極的に待避させることができるようになる。これにより、シャーシ２０内に浸入した水分は、前述した各例（第１及び第２の実施の形態）と同様に、プリント配線基板４０に至ることはなく、水分に起因した電気的な故障を未然に防止することができる。また、吸水布部材５２に留まった水分がシャーシ２０の後端板２２に形成された通気孔２２ａを通して効率的に蒸発することができる。
【００７０】
次に、本発明の第４の実施の形態に係るディスク装置について説明する。
【００７１】
本発明の第４の実施の形態に係るディスク装置は、図５に示すように構成される。なお、図５において、図１及び図２に示される部材と同一の部材には同一の参照番号が付されている。
【００７２】
図５に示すディスク装置では、図４に示す例と同様に、シャーシ２０の底板２１内面の後端部からシャーシ２０の後端板２２内面にかけて吸水布部材５２が設けられている。そして、シャーシ２０の後端板２２の外面にはプリント配線基板４０に搭載された熱源となる回路素子（図示略）に結合するヒートシンク４２が設けられている。このような構造のディスク装置では、前述した例（図４参照）と同様に、シャーシ２０の底板２１の後端部まで進入した水分をプリント配線基板４０からより遠ざかるシャーシ２０の後端板２２に積極的に待避させることができるようになるともに、熱源（回路素子）により加熱されるヒートシンク４２の熱により、吸水布部材５２に留められた水分の蒸発を更に促進させることができるようになる。
【００７３】
次に、本発明の第５の実施の形態に係るディスク装置について説明する。
【００７４】
本発明の第５の実施の形態に係るディスク装置は、図６に示すように構成さる。なお、図６において、図１及び図２に示される部材と同一の部材には同一の参照番号が付されている。
【００７５】
図６に示すディスク装置では、シャーシ２０の底板２１内面の後端部からシャーシ２０の後端板２２内面、更に、当該シャーシ２０の天板２３内面にかけて吸水布部材５３が設けられている。天板２３内面は吸水布部材５３によってその略全域が覆われている。また、シャーシ２０の吸水布部材５３に覆われた天板２３には複数の通気孔２３ａが形成されている。このような構造のディスク装置では、ディスク挿入口１４から浸入して、ディスクガイド部材１２の内面を伝ってシャーシ２０の底板２１に滴下し、更に底板２１の後端部まで移動する水分は、吸水布部材５３に吸い取られる。吸水布部材５３のシャーシ２０の底板２１から後端板２２、更に天板２３への引き回しにより、前記水分をプリント配線基板４０からより遠ざかるシャーシ２０の後端板２２及び天板２３に積極的に待避させることができるようになる。これにより、シャーシ２０内に浸入した水分は、前述した各例と同様に、プリント配線基板４０に至ることはなく、水分に起因した電気的な故障を未然に防止することができる。また、吸水布部材５３に留まった水分がシャーシ２０の天板２３に形成された通気孔２３ａを通して効率的に蒸発することができる。
【００７６】
次に、本発明の第６の実施の形態に係るディスク装置について説明する。
【００７７】
本発明の第６の実施の形態に係るディスク装置は、図７に示すように構成される。なお、図７において、図１及び図２に示される部材と同一の部材には同一の参照番号が付されている。
【００７８】
図７に示すディスク装置では、シャーシ２０の底板２１の後端部近傍所定位置に凹部２１１が形成されている。また、シャーシ２０において、ディスク駆動ユニット３０の後端面とシャーシ２０の後端板２２との間に天板２３から延びる後方仕切り板２４が設けられている。この後方仕切り板２４の底板２１に向かう端部は、プリント配線基板４０に形成されたスリットに差し込まれている。そして、吸水布部材５４が、底板２１の凹部２１１から延びて、後方仕切り板２４のディスク駆動ユニット３０に対向する表面と逆側の表面、更に、天板２３内面の後端部にかけて配置されるように設けられている。また、シャーシ２０の天板２３の吸水布部材５４が設けられた部位には複数の通気孔２３ａが形成されている。このような構造のディスク装置では、ディスク挿入口１４から浸入してシャーシ２０の底板２１に形成された凹部２１１に溜まった水分は、吸水布部材５４に吸い取られる。吸水布部材５４のシャーシ２０の底板２１から後方仕切り板２４、更に天板２３への引き回しにより、前記水分をプリント配線基板４０からより遠ざかる後方仕切り板２４及び天板２３に積極的に待避させることができるようになる。これにより、シャーシ２０内に浸入した水分は、前述した各例と同様に、プリント配線基板４０に至ることはなく、水分に起因した電気的な故障を未然に防止することができる。また、吸水布部材５４に留まった水分がシャーシ２０の天板２３に形成された通気孔２３ａを通して効率的に蒸発することができる。
【００７９】
更に、後方仕切り板２４によって、プリント配線基板４０の後端部に搭載されたコネクタ４１の設けられた空間とディスク駆動ユニット３０の設けられた空間とが仕切られるため、万が一ディスク挿入口１４から侵入した異物がシャーシ２０内まで達したとしても、コネクタ４１の露出した端子まで達することを防止することができる。また、コネクタ４１とシャーシ２０の後端板２２との間の隙間から埃が侵入したとしても、後方仕切り板２４による空間の仕切りによって、光学機構を備えたディスク駆動ユニット３０にその埃が浸入することを防止することができる。
【００８０】
次に、本発明の第７の実施の形態に係るディスク装置について説明する。
【００８１】
本発明の第７の実施の形態に係るディスク装置は、図８に示すように構成される。なお、図８において、図１及び図２に示される部材と同一の部材には同一の参照番号が付されている。
【００８２】
図８に示すディスク装置では、ディスク駆動ユニット３０の後端面とシャーシ２０の後端板２２との間に天板２３から延びる後方仕切り板２５が設けられている。後方仕切り板２５の底板２１に向かう先端は、当該ディスク装置の高さ方向（図８における上下方向）においてディスク駆動ユニット３０の底面とプリント配線基板４０との間に位置している。そして、吸水布部材５５が、ディスクガイド部材１２の第1立下り部１１ｃの先端から延びて後方仕切り板２５の端部に至っている。これにより、吸水布部材５５はディスク駆動ユニット３０とプリント配線基板４０との間に配置されることとなる。後方仕切り板２５の端部に至った吸水布部材５５は、更に後方仕切り板２５のディスク駆動ユニット３０に対向する表面と逆側の表面、また更に、天板２３内面の後端部にかけて配置されるように設けられている。また、シャーシ２０の天板２３の吸水布部材５５が設けられた部位には複数の通気孔２３ａが形成されている。このような構造のディスク装置では、ディスク挿入口１４から浸入してディスクガイド部材１２の第1立下り部１１ａ、平坦部１１ｂ及び第２立下り部１１ｃと順次伝わる水分は、シャーシ２０の底板２１に至る前に、吸水布部材５５に吸い取られる。このため、前記水分がプリント配線基板４０に達することを防止することができる。更に、吸水布部材５５のディスクガイド部材１２から後方仕切り板２５更に天板２３への引き回しにより、水分をプリント配線基板４０からより遠ざけることができるようになり、水分に起因した電気的な故障を的確に防止することができるようになる。また、吸水布部材５５に留まった水分がシャーシ２０の天板２３に形成された通気孔２３ａを通して効率的に蒸発することができる。
【００８３】
更に、後方仕切り板２５、吸水布部材５５、及びディスクガイド部材１２によって、シャーシ２０内のプリント配線基板４０（コネクタ４１を含む）の設けられた空間とディスク駆動ユニット３０の設けられた空間とが仕切られるので、万が一ディスク挿入口１４から異物が侵入したとしても、その異物がプリント配線基板４０、特に、コネクタ４１の露出した端子に達することを防止することができる。また、コネクタ４１とシャーシ２０の後端板２２との間の隙間から埃が侵入したとしても、後方仕切り板２５による空間の仕切りによって、光学機構を備えたディスク駆動ユニット３０にその埃が浸入することを防止することができる。
【００８４】
次に、本発明の第８の実施の形態に係るディスク装置について説明する。
【００８５】
本発明の第８の実施の形態に係るディスク装置は、図９に示すように構成される。図９は、ディスク装置の前方部分を示す断面図である。
【００８６】
図９において、このディスク装置は、ディスク挿入口１４０の形成された前面パネルユニット１００、ディスクガイド部材１２０及びディスク駆動ユニット３０を収容したシャーシ２００（筐体）が一体的に結合された構造となっている。ディスクガイド部材１２０は、前面パネルユニット１００とシャーシ２００との間に配置され、ディスク挿入口１４０からディスク駆動ユニット３０に向けて挿入される、及びディスク駆動ユニット３０からディスク挿入口１４０に向けて排出されるディスクＤがディスクガイド部材１２０を通るようになっている。
【００８７】
不織布等の布部材１５０がディスク挿入口１４０を閉ざすように前面パネルユニット１００とディスクガイド部材１２０とによって挟まれ、固定されている。この布部材１５０は、ディスクＤが通過するためのスリット（図示されず）が形成されている。これにより、ディスク挿入口１４０から埃等が浸入することを防止しつつ、ディスクＤのディスク挿入口１４０を通した挿入及び排出が可能となる。
【００８８】
ディスクガイド部材１２０は、ディスク挿入口１４０の内側下方に立ち下がる立下り部１２１ａ、前面パネルユニット１００に先端が当接して後方に延びる底部１２１ｂ、底部１２１ｂの端部から立ち上がる立上がり部１２１ｃ、及び立上がり部１２１ｃから続いてシャーシ２００内のディスク駆動ユニット３０のディスクＤの通孔（図示略）に向かって斜めに立ち上がる傾斜部１２２を有している。前記立下り部１２１ａ、底部１２１ｂ及び立上がり部１２１ｃによってディスクガイド部材１２０にはディスク挿入口１４０の内側下方に広がる凹状部１２１が形成される。
【００８９】
ディスク挿入口１４０を閉ざす布部材１５０は、前面パネルユニット１００とディスクガイド部材１２０の立下り部１２１ａとによって挟まれており、その先端部が凹状部１２１の底部１２１ｂに達している。そして、立下り部１２１ａの先端と底部１２１ｂとの間に隙間１２５が形成され、布部材１５０の端部が凹状部１２１内に向けて露出するようになっている。
【００９０】
このような構造のディスク装置では、ディスク挿入口１４０から浸入して立下り部１２１ａの内面を伝う水分は、ディスクガイド部材１２０の凹状部１２１（立下り部１２１ａ、底部１２１ｂ、立上がり部１２１ｃにて構成される）に溜まる。そして、布部材１５０が、前述した各例（図１〜図８参照）における吸水布部材と同様に、凹状部１２１に溜まった水分を吸い取る。これにより、ディスク挿入口１４０から浸入した水分は、布部材１５０内に留められ、シャーシ２００内に達することはない。また、布部材１５０はディスク挿入口１４０にて外部（車室内）に露出しているので、前述したように吸い取られて布部材１５０に留まる水分がディスク挿入口１４０を通して効率的に蒸発するようになる。
【００９１】
更に、ディスク挿入口１４０からコインＣやピン等の異物が誤って挿入されたとしても、それら異物は、ディスク挿入口１４０の内側下方に広がるディスクガイド部材１２０の凹状部１２１に留まる。従って、そのような異物がシャーシ２００、更には、シャーシ２００内のディスク駆動ユニット３０まで入り込むようなことはない。
【００９２】
次に、本発明の第９の実施の形態に係るディスク装置について説明する。
【００９３】
本発明の第９の実施の形態に係るディスク装置は、図１０に示すように構成される。なお、図１０において、図９に示す部材と同一の部材には同一の参照番号が付されている。
【００９４】
図１０に示すディスク装置では、前面パネルユニット１００とシャーシ２００との間に配置されるディスクガイド部材１２０には、前述した例（図９参照）と同様に、ディスク挿入口１４０の内側下方に位置する凹状部１２１が形成されている（立下り部１２１ａ、底部１２１ｂ及び立上がり部１２１ｃにより）。そして、ディスク挿入口１４０を閉ざし、ディスクガイド部材１２０の立下り部１２１ａと前面パネルユニット１００とによって挟まれて固定される材布部１５１の端部１５１ａが、屈曲され、立下り部１２１ａと底部１２１ｂとの間の隙間１２５を通って凹状部１２１内に延びている。凹状部１２１の底部１２１ｂの略全面が布部材１５１の端部１５１ａにて覆われるようになっている。
【００９５】
このようなディスク装置では、前述した例（図９参照）と同様に、ディスク挿入口１４０から浸入してディスクガイド部材１２０の凹状部１２１に溜まる水分は、ディスク挿入口１４０を閉ざす布部材１５１によって吸い取られる。この場合、凹状部１２０の底部１２１ｂの略全面に布部材１５０の端部１５１ａが覆っているので、浸入した水分を効率良く布部材１５０に吸い取らせることが可能となる。また、前述した例と同様に、凹状部１２１から吸い取られて布部材１５０に留まる水分はディスク挿入口１４０を通して効率的に蒸発するようになる。
【００９６】
次に、本発明の第１０の実施の形態について説明する。
【００９７】
本発明の第１０の実施の形態に係るディスク装置は、図１１に示すように構成される。なお、図１１において、図９に示す部材と同一部材には同一の参照番号が付されている。
【００９８】
図１１に示すディスク装置では、前面パネルユニット１００とシャーシ２００との間に配置されるディスクガイド部材１２０には、前述した各例（図９、図１０参照）と同様に、ディスク挿入口１４０の内側下方に位置する凹状部１２１が形成されている。そして、ディスク挿入口１４０を閉ざし、ディスクガイド部材１２０の立下り部１２１ａと前面パネルユニット１００とによって挟まれて固定される布部材１５２の端部１５２ａが、前方に向けて屈曲されている。前面パネルユニット１００には、ディスクガイド部材１２０の凹状部１２１の底に向けて貫通する貫通孔１０１が形成されている。そして、凹状部１２１の底部１２１ｂに達して曲げられた布部材１５２の端部１５２ａが前面パネルユニット１００に形成された前記貫通孔１０１に詰め込まれている。なお、凹状部１２１を構成する立下り部１２１ａの先端と底部１２１ｂとの間には、図９に示す例と同様に、隙間１２５が形成されており、布部材１５２の屈曲部分が凹状部１２１内に向けて露出するようになっている。
【００９９】
このような構造のディスク装置では、前述した各例（図９、図１０参照）と同様に、ディスク挿入口１４０から浸入してディスクガイド部材１２０の凹状部１２１に溜まる水分は、ディスク挿入口１４０を閉ざす布部材１５２によって吸い取られる。この場合、布部材１５２の端部１５２ａが前面パネルユニット１００に形成された貫通孔１０１に詰め込まれているので、布部材１５２に吸い取られて留まる水分は、その貫通孔１０１に詰め込まれて部分からその貫通孔１０１を通して蒸発するようになる。そして、ディスク挿入口１４０を通した布部材１５２からの水分の蒸発と相俟って、より効率的な水分の蒸発がなされるようになる。
【０１００】
次に、本発明の第１１の実施の形態について説明する。
【０１０１】
本発明の第１１の実施の形態に係るディスク装置は、図１２に示すように構成される。なお、図１２において、図９に示す部材と同一の部材には同一の参照番号が付されている。
【０１０２】
図１２に示すディスク装置では、前面パネルユニット１００とシャーシ２００との間に配置されるディスクガイド部材１２０には、前述した各例（図９〜図１１参照）と同様に、ディスク挿入口１４０の内側下方に位置する凹状部１２１が形成されている。凹状部１２１を構成する底部１２１ｂの前面パネルユニット１００に対向する部分が当該前面パネルユニット１００に沿って僅かに延びている。そして、前面パネルユニット１００には、その底部１２１ｂの僅かに延びた部分に向けて貫通する貫通孔１０１が形成されている。また、ディスク挿入口１４０を閉ざす布部材１５３が、ディスクガイド部材１２０の立下り部１２１ａと前面パネルユニット１００によって挟まれ、その布部材１５３の端部１５３ａが、更に、前記底部１２１ｂの僅かに延びた部分と前面パネルユニット１００の貫通孔１０１が形成された部分とによって挟まれ、布部材１５３が全体として固定されている。布部材１５３の端部１５３ａの屈曲した部分は立下り部１２１ａの端部と底部１２１ｂとの間の隙間１２５から凹状部１２１内に露出し、布部材１５３の端部１５３ａは前面パネルユニット１００に形成された貫通孔１０１から外部に露出する。
【０１０３】
このような構造のディスク装置では、前述した各例（図９〜図１１参照）と同様に、ディスク挿入口１４０から浸入してディスクガイド部材１２０の凹状部１２１に溜まる水分は、ディスク挿入口１４０を閉ざす布部材１５２によって吸い取られる。この場合、布部材１５３の端部１５３ａが前面パネルユニット１００に形成された貫通孔１０１から露出しているので、布部材１５３に吸い取られて留まる水分は、その貫通孔１０１に対向する部分からその貫通孔１０１を通して蒸発するようになる。そして、ディスク挿入口１４０を通した布部材１５３からの水分の蒸発と相俟って、より効率的な水分の蒸発がなされるようになる。
【０１０４】
次に、本発明の第１２の実施の形態について説明する。
【０１０５】
本発明の第１２の実施の形態に係るディスク装置は、図１３に示すように構成される。なお、図１３において、図１０に示す部材と同一の部材には同一の参照番号が付されている。
【０１０６】
図１３に示すディスク装置は、図１０に示すものと略同様に構成されている。ただし、ディスクガイド部材１２０の凹状部１２１を構成する底部１２１ｂが、他の構成部材となる立下り部１２１ａ及び立上がり部１２１ｃと別体となる金属製パネル１２３にて形成されている。この金属製パネル１２３は、当該ディスク装置内の熱源となる回路素子に結合したヒートシンクに結合しており、前記熱源から前記ヒートシンクを介して熱が伝わっている。
【０１０７】
このような構造のディスク装置では、前述した例（図９〜図１２参照）と同様に、ディスク挿入口１４０から浸入してディスクガイド部材１２０の凹状部１２１に溜まる水分は、ディスク挿入口１４０を閉ざす布部材１５１の端部１５１ａから吸い取られる。この場合、凹状部１２１に溜まる水分を吸い取る布部材１５１の端部１５１ａがヒートシンクに結合した金属製パネル１２３にて形成される凹状部１２１の底部に接しているので、ヒートシンクから金属製パネル１２３に伝わる熱によって布部材１５１からの水分の蒸発が促進されるようになる。
【０１０８】
次に、本発明の第１３の実施の形態について説明する。
【０１０９】
本発明の第１３の実施の形態に係るディスク装置は、図１４に示すように構成される。図１４は、ディスク装置の前方部分を拡大して示す側断面図である。
【０１１０】
図１４において、このディスク装置は、ディスク挿入口１４０の形成された前面パネルユニット１００、ディスクガイド部材１３０及びディスク駆動ユニット３０を収容したシャーシ２００（筐体）が一体的に結合された構造となっている。ディスクガイド部材１３０は、前面パネルユニット１００とシャーシ２００との間に配置され、ディスク挿入口１４０からディスク駆動ユニット３０に向けて挿入される、及びディスク駆動ユニット３０からディスク挿入口１４０に向けて排出されるディスクＤがディスクガイド部材１３０を通るようになっている。
【０１１１】
不織布等の布部材１５０がディスク挿入口１４０を閉ざすように前面パネルユニット１００とディスクガイド部材１３０とによって挟まれ、固定されている。この布部材１５０は、ディスクＤが通過するためのスリット（図示されず）が形成されている。これにより、ディスク挿入口１４０から埃等が浸入することを防止しつつ、ディスクＤのディスク挿入口１４０を通した挿入及び排出が可能となる。
【０１１２】
ディスクガイド部材１３０は、ディスク挿入口１４０の内側下方に立ち下がる立下り部１３１ａ、前面パネルユニット１００に先端が当接し、シャーシ２００の前端まで延びる底部１３１ｂ、及び底部１３１ｂの端部から続いてシャーシ２００内のディスク駆動ユニット３０のディスクＤの通孔（図示略）に向かって立ち上がる立上がり部１３１ｃを有している。前記立下り部１３１ａ、底部１３１ｂ及び立上がり部１３１ｃによってディスクガイド部材１３０にはディスク挿入口１４０の内側下方に広がる凹状部１３１が形成される。
【０１１３】
ディスク挿入口１４０を閉ざす布部材１５０は、前面パネルユニット１００とディスクガイド部材１３０の立下り部１３１ａとによって挟まれており、その先端部が凹状部１３１の底部１３１ｂに達している。そして、立下り部１３１ａの先端と底部１３１ｂとの間に隙間１３５が形成され、布部材１５０の端部が凹状部１３１内に向けて露出するようになっている。
【０１１４】
このような構造のディスク装置では、ディスク挿入口１４０から浸入してディスクガイド部材１３０の凹状部１３１に溜まる水分は、布部材１５０の先端部から当該布部材１５０に吸い取られる。これにより、ディスク挿入口１４０から浸入した水分は、布部材１５０内に留められ、シャーシ２００内に達することはない。また、布部材１５０はディスク挿入口１４０にて外部（車室内）に露出しているので、前述したように吸い取られて布部材１５０に留まる水分がディスク挿入口１４０を通して効率的に蒸発するようになる。
【０１１５】
更に、ディスク挿入口１４０からコインＣやピン等の異物が誤って挿入されたとしても、それら異物は、ディスク挿入口１４０の内側下方に広がるディスクガイド部材１３０の凹状部１３１に留まる。従って、そのような異物がシャーシ２００、更には、シャーシ２００内のディスク駆動ユニット３０まで入り込むようなこともない。
【０１１６】
次に、本発明の第１４の実施の形態について説明する。
【０１１７】
本発明の第１４の実施の形態に係るディスク装置は、図１５に示すように構成される。図１５に示すディスク装置では、ディスクガイド部材１６０の構造が前述したディスク装置（図１４参照）のディスクガイド部材１３０の構造と異なっている。
【０１１８】
前面パネルユニット１００とディスク駆動ユニット３０を収容したシャーシ２００（筐体）との間に配置されたディスクガイド部材１６は、前面パネルユニット１００に形成されたディスク挿入口１４０の内側下方に立ち下がる立下り部１６１ａ、前面パネルユニット１００に先端が当接し、シャーシ２００の前端までの延びる底部１６１ｂ、及び底部１６１ｂから続いてシャーシ２００内のディスク駆動ユニット３０の通孔（図示略）の近傍まで立ち上がる立上がり部１６１ｃを有している。前記立下り部１６１ａ、底部１６１ｂ及び立上がり部１６１ｃによってディスクガイド部材１６０にはディスク挿入口１４０の内側下方に広がる凹状部１６１が形成される。
【０１１９】
ディスク挿入口１４０を閉ざし、前面パネルユニット１００とディスクガイド部材１６０とによって挟まれ、固定された布部材１５０の先端は、凹状部１６１の底部１６１ｂに達している。また、立下り部１６１ａの先端と底部１６１ｂとの間に隙間１６６が形成され、立下り部１６１ａと前面パネルユニット１００とに挟まれた布部材１５０の先端部がその隙間１６６を通して凹状部１６１内に向けて露出している。
【０１２０】
更に、ディスクガイド部材１６０には前述した凹状部１６１を覆うようにガイドフレーム１６５が形成されている。このガイドフレーム１６５は、図１５とともに、その平面図となる図１６（ａ）、（ｂ）を参照するに、ディスクガイド部材１６０の左右両端部に位置して、ディスクＤの移動方向に延びる２つの端部縦リブ１６２ｂ、１６２ｃと、それらの中間に位置して、ディスクＤの移動方向に延びる中央縦リブ１６２ａとが、凹状部１６１の立下り部１６１ａと立上がり部１６１ｃとの間に掛け渡されるように形成されている。また、それら縦リブ１６２ａ、１６２ｂ、１６２ｂは、横方向（ディスクＤの移動方向に直交する方向）に延び、ディスク挿入口１４０から奥に向かって下方に傾斜する傾斜板１６３ａ、１６３ｂと一体化されている。また、各傾斜板１６３ａ、１６３ｂの上端縁部は、各端部縦リブ１６２ｂ、１６２ｃ及び中央縦リブ１６２ａそれぞれの天面より下がった位置に配置されるようになっている。
【０１２１】
このような構造のディスク装置では、ディスクＤがディスク挿入口１４０から挿入されると、図１６（ａ）に示すように、ディスクＤがガイドフレーム１６５の中央縦リブ１６２ａの天面上を摺動しつつシャーシ２００に収容されたディスク駆動ユニット３０に導かれる。また、ディスク駆動ユニット３０から排出されるディスクＤもガイドフレーム１６５の中央縦リブ１６２ａの天面上を摺動しつつディスク挿入口１４０に導かれる。各傾斜板１６３ａ、１６３ｂの上端縁部が中央縦リブ１６２ａの天面より下がった位置に配置されているので、ディスクＤの中央縦リブ１６２ａの天面上の摺動が妨げられることはない。
【０１２２】
一方、図１６（ｂ）に示すように、コインＣ１、Ｃ２のような異物がディスク挿入口１４０に誤って挿入されると、ガイドフレーム１６５の中央縦リブ１６２ａの天面上を摺動することなく、傾斜板１６３ａまたは１６３ｂ上を滑ってディスクガイド部材１６０の凹状部１６１に落ちる。これにより、コインＣ１、Ｃ２のような異物は、ディスクガイド部材１６０の凹状部１６１に溜まり、シャーシ２００に入り込むこことはない。
【０１２３】
また、ディスク挿入口１４０から浸入した水分は、前述した例（図１４参照）と同様に、ディスクガイド部材１６０の立下り部１６１ａの内面を伝って凹状部１６１に溜まる。そして、その水分は、布部材１５０の端部から当該布部材１５０に吸い取られる。従って、ディスク挿入口１４０から浸入した水分についても、シャーシ２００あるいはディスク駆動ユニット３０に達することはなく、その水分による電気的な故障を防ぐことができる。
【０１２４】
前述したディスクガイド部材１６０において凹状部１６１を覆うように形成されるガイドフレームは、図１７（ａ）、（ｂ）に示すように構成することもできる。
【０１２５】
図１７（ａ）、（ｂ）に示すガイドフレーム１６５は、図１６（ａ）、（ｂ）に示す中央縦リブ１６２ａに代えて、傾斜板１６３ａ、１６３ｂに対して３つの縦リブ１６２ａ（１）、１６２ａ（２）、１６２ａ（３）が、ディスクＤの移動方向（縦方向）において隣接する縦リブのその移動方向に直交する方向（横方向）における位置が異なるように（所謂、千鳥状に）配列されたものとなっている。なお、この場合も、各傾斜板ａ１６３、１６３ｂの上端部は、各縦リブ１６２ａ（１）、１６２ａ（２）、１６２ａ（３）それぞれの天面より下がった位置に配置されるようになっている。このようなガイドフレーム１６５によれば、ディスク挿入口１４０から挿入されたディスクＤは、図１７（ａ）に示すように、ガイドフレーム１６５のまず２つの縦リブ１６２ａ（２）、１６２ａ（３）の天面上を、次に縦リブ１６２ａ（１）の天面上を順次摺動しつつシャーシ２００に収容されたディスク駆動ユニット３０に導かれる。また、ディスク駆動ユニット３０から排出されるディスクＤは、逆に、ガイドフレーム１６５のまず縦リブ１６２ａ（１）の天面上を、次いで２つの縦リブ１６２ａ（２）、１６２ａ（３）の天面上を順次摺動しつつディスク挿入口１４０に導かれる。ディスクＤをディスク挿入口１４０から挿入する際に、ディスクＤが２つの縦リブ１６２ａ（２）、１６２ａ（３）の天面に支持された状態から更に、３つの縦リブ１６２ａ（１）、１６２ａ（２）、１６２ａ（３）の天面にて支持された状態にて移動するので、ディスクＤを左右に傾くことなくディスク挿入口１４０から挿入することができるようになる。また、ディスクＤがディスク挿入口１４０から排出される際にも、ディスクＤが３つの縦リブ１６２ａ（１）、１６２ａ（２）、１６２ａ（３）の天面にて支持された状態から更に、２つの縦リブ１６２ａ（２）、１６２ａ（３）の天面に支持された状態にて移動しつつディスク挿入口１４０から排出されるので、ディスクＤは左右に傾くことなくディスク挿入口１４０から排出されるようになる。
【０１２６】
一方、図１７（ｂ）に示すように、コインＣ１、Ｃ２のような異物がディスク挿入口１４０に誤って挿入されると、一部の縦リブ上を摺動したとしても、シャーシ３０に到達する前に、傾斜板１６３ａまたは１６３ｂ上を滑ってディスクガイド部材１６０の凹状部１６１に落ちる。これにより、コインＣ１、Ｃ２のような異物は、ディスクガイド部材１６０の凹状部１６１に溜まり、シャーシ２００に入り込むことはない。
【０１２７】
前述したような本発明の第１乃至第１４の実施の形態に係るディスク装置では、ディスク挿入口１４（１４０）から浸入した水分は、吸水布部材５０（５１〜５５、１５０〜１５３）に吸い取られ、その水分が引き回しの自由度の高い吸水布部材に留められるようになるので、排水口を設ける場合のように埃等の浸入という新たな問題を生じさせることなく、ディスク挿入口１４（１４０）から浸入した水分のプリント配線基板４０や電気部品等への影響を排除することができるようになる。
【産業上の利用可能性】
【０１２８】
本発明に係るディスク装置は、埃等の浸入という新たな問題を生じさせることなく、ディスク挿入口から浸入した水分の電気部品等への影響を排除することのできるという効果を有し、ディスク駆動ユニットを収容した筐体の前方に配置された前面パネルユニットにディスク挿入口の形成されたディスク装置として有用である。
【図面の簡単な説明】
【０１２９】
【図１】本発明の第１の実施の形態に係るディスク装置の側断面図である。
【図２】図１に示すディスク装置の前方部分を拡大して示す側断面図である。
【図３】本発明の第２の実施の形態に係るディスク装置の側断面図である。
【図４】本発明の第３の実施の形態に係るディスク装置の側断面図である。
【図５】本発明の第４の実施の形態に係るディスク装置の側断面図である。
【図６】本発明の第５の実施の形態に係るディスク装置の側断面図である。
【図７】本発明の第６の実施の形態に係るディスク装置の側断面図である。
【図８】本発明の第７の実施の形態に係るディスク装置の側断面図である。
【図９】本発明の第８の実施の形態に係るディスク装置の前方部分を示す側断面図である。
【図１０】本発明の第９の実施の形態に係るディスク装置の前方部分を示す側断面図である。
【図１１】本発明の第１０の実施の形態に係るディスク装置の前方部分を示す側断面図である。
【図１２】本発明の第１１の実施の形態に係るディスク装置の前方部分を示す側断面図である。
【図１３】本発明の第１２の実施の形態に係るディスク装置の前方部分を示す側断面図である。
【図１４】本発明の第１３の実施の形態に係るディスク装置の前方部分を示す側断面図である。
【図１５】本発明の第１４の実施の形態に係るディスク装置の前方部分を示す側断面図である。
【図１６】図１５に示すディスク装置におけるディスクガイド部材のガイドフレームを示す平面図である。
【図１７】図１５に示すディスク装置におけるディスクガイド部材のガイドフレームの他の構造例を示す平面図である。
【符号の説明】
【０１３０】
１０、１００  前面パネルユニット
１１ａ  第１立下り部
１１ｂ  平坦部
１２、１２０、１３０、１６０  ディスクガイド部材
１３  第２立下り部
１４、１４０  ディスク挿入口
１５、１５０、１５１、１５２、１５３  布部材
１６  前方仕切り板
２０、２００  シャーシ（筐体）
２１  底板
２１ａ、２２ａ、２３ａ  通気孔
２２  後端板
２３  天板
２４、２５  後方仕切り板
３０  ディスク駆動ユニット
４０  プリント配線基板
４１  コネクタ
４２  ヒートシンク
５０、５１、５２、５３、５４、５５  吸水布部材
１２１ａ、１３１ａ、１６１ａ  立下り部
１２１ｂ、１３１ｂ、１６１ｂ  底部
１２１ｃ、１３１ｃ、１６１ｃ  立上がり部
１２２  傾斜部
１２３  金属製パネル
１６２ａ、１６２ｂ、１６２ｃ  縦リブ
１６３ａ、１６３ｂ  傾斜板
１６５  ガイドフレーム
【図１】
2008047254.tif 000003
【図２】
2008047254.tif 000004
【図３】
2008047254.tif 000005
【図４】
2008047254.tif 000006
【図５】
2008047254.tif 000007
【図６】
2008047254.tif 000008
【図７】
2008047254.tif 000009
【図８】
2008047254.tif 000010
【図９】
2008047254.tif 000011
【図１０】
2008047254.tif 000012
【図１１】
2008047254.tif 000013
【図１２】
2008047254.tif 000014
【図１３】
2008047254.tif 000015
【図１４】
2008047254.tif 000016
【図１５】
2008047254.tif 000017
【図１６】
2008047254.tif 000018
【図１７】
2008047254.tif 000019